【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
コンピューティングデバイスにおける方法であって、前記方法は下記を備える、
第１のアクセストランシーバによって送信された第１のメッセージをモバイルデバイスにおいて受信する時間と、第２のアクセストランシーバによって送信された第２のメッセージを前記モバイルデバイスにおいて、受信する時間との間の差を含む第１の式のパラメータを取得すること、前記第２のメッセージは、前記第２のアクセストランシーバにおける前記第１のメッセージの受信に応答して前記第２のアクセストランシーバによって送信される、ここにおいて、前記第１の式が、
ＴｏａＣ１（Ｍ）−ＴｏａＣ１（ＡＣＫ）−ＲＴＴ１／２＋ｔ４１−ｔ１１であり、ここにおいて、
ＴｏａＣ１（Ｍ）−ＴｏａＣ１（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴ１が、前記第１のメッセージの送信と前記第１のアクセストランシーバにおける前記第２のメッセージの受信とのための前記ラウンドトリップ信号時間の測定値であり、
ｔ１１が、前記第１のメッセージの送信時間であり、
ｔ４１が、前記第１のアクセストランシーバにおける前記第２のメッセージの受信時間である、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差を含む第２の式のパラメータを取得すること、前記第４のメッセージは、前記第４のアクセストランシーバにおける前記第３のメッセージの受信に応答して前記第４のアクセストランシーバによって送信される、ここにおいて、前記第２の式が、
ＴｏａＣ２（Ｍ）−ＴｏａＣ２（ＡＣＫ）−ＲＴＴ２／２＋ｔ４２−ｔ１２であり、ここにおいて、
ＴｏａＣ２（Ｍ）−ＴｏａＣ２（ＡＣＫ）が、前記モバイルデバイスにおいて前記第３のメッセージを受信する前記時間と、前記モバイルデバイスにおいて前記第４のメッセージを受信する前記時間との間の前記差であり、
ＲＴＴ２が、前記第３のメッセージの送信と前記第３のアクセストランシーバにおける前記第４のメッセージの受信とのための前記ラウンドトリップ信号時間の測定値であり、
ｔ１２が、前記第３のメッセージの送信時間であり、
ｔ４２が、前記第３のアクセストランシーバにおける前記第４のメッセージの受信時間である、と、
前記第１の式と前記第２の式とに少なくとも部分的に基づいて前記モバイルデバイスの推定ロケーションを計算すること、ここにおいて、前記モバイルデバイスの前記推定ロケーションを計算することが、前記第１の式と前記第２の式とによって定義されるプロットの交点を決定することを備える。
【請求項２】
コンピューティングデバイスにおける方法であって、前記方法は下記を備える、
第１のアクセストランシーバによって送信された第１のメッセージをモバイルデバイスにおいて受信する時間と、第２のアクセストランシーバによって送信された第２のメッセージを前記モバイルデバイスにおいて、受信する時間との間の差、ここで、前記第２のメッセージは、前記第２のアクセストランシーバにおける前記第１のメッセージの受信に応答して前記第２のアクセストランシーバによって送信される、と、前記第１のメッセージの送信時間と前記第１のアクセストランシーバにおける前記第２のメッセージの受信時間との間の差とを含む第１の式のパラメータを取得すること、ここにおいて、前記第１の式が、
ＴｏａＣ１（Ｍ）−ＴｏａＣ１（ＡＣＫ）−ＲＴＴ１／２−（ｔ１１−ｔ４１）であり、ここにおいて、
ＴｏａＣ１（Ｍ）−ＴｏａＣ１（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴ１が、前記第１のメッセージの送信と前記第１のアクセストランシーバにおける前記第２のメッセージの受信とのための前記ラウンドトリップ信号時間の測定値であり、
ｔ１１−ｔ４１が、前記第１のメッセージの前記送信時間と前記第１のアクセストランシーバにおける前記第２のメッセージの前記受信時間との間の前記差である、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差、ここで、前記第４のメッセージは、前記第４のアクセストランシーバにおける前記第３のメッセージの受信に応答して前記第４のアクセストランシーバによって送信される、と、前記第３のメッセージの送信時間と前記第３のアクセストランシーバにおける前記第４のメッセージの受信時間との間の差とを含む第２の式のパラメータを取得すること、ここにおいて、前記第２の式が、
ＴｏａＣ２（Ｍ）−ＴｏａＣ２（ＡＣＫ）−ＲＴＴ２／２−（ｔ１２−ｔ４２）であり、ここにおいて、
ＴｏａＣ２（Ｍ）−ＴｏａＣ２（ＡＣＫ）が、前記モバイルデバイスにおいて前記第３のメッセージを受信する前記時間と、前記モバイルデバイスにおいて前記第４のメッセージを受信する前記時間との間の前記差であり、
ＲＴＴ２が、前記第３のメッセージの送信と前記第３のアクセストランシーバにおける前記第４のメッセージの受信とのための前記ラウンドトリップ信号時間の測定値であり、
ｔ１２−ｔ４２が、前記第３のメッセージの前記送信時間と前記第３のアクセストランシーバにおける前記第４のメッセージの前記受信時間との間の前記差である、と、
前記第１の式と前記第２の式とに少なくとも部分的に基づいて前記モバイルデバイスの推定ロケーションを計算すること、ここにおいて、前記モバイルデバイスの前記推定ロケーションを計算することが、前記第１の式と前記第２の式とによって定義されるプロットの交点を決定することを備える。
【請求項３】
コンピューティングデバイスにおける方法であって、前記方法は下記を備える、
第１のアクセストランシーバによって送信された第１のメッセージをモバイルデバイスにおいて受信する時間と、第２のアクセストランシーバによって送信された第２のメッセージを前記モバイルデバイスにおいて、受信する時間との間の差を含む第１の式のパラメータを取得すること、前記第２のメッセージは、前記第２のアクセストランシーバにおける前記第１のメッセージの受信に応答して前記第２のアクセストランシーバによって送信される、ここにおいて、前記第１の式が、
ＴｏａＣ１（Ｍ）−ＴｏａＣ１（ＡＣＫ）−ｔ２１＋ｔ４１であり、ここにおいて、
ＴｏａＣ１（Ｍ）−ＴｏａＣ１（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２１が、前記第２のアクセストランシーバにおける前記第１のメッセージの受信時間であり、
ｔ４１が、前記第１のアクセストランシーバにおける前記第２のメッセージの受信時間である、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差を含む第２の式のパラメータを取得すること、前記第４のメッセージは、前記第４のアクセストランシーバにおける前記第３のメッセージの受信に応答して前記第４のアクセストランシーバによって送信される、ここにおいて、前記第２の式が、
ＴｏａＣ２（Ｍ）−ＴｏａＣ２（ＡＣＫ）−ｔ２２＋ｔ４２であり、ここにおいて、
ＴｏａＣ２（Ｍ）−ＴｏａＣ２（ＡＣＫ）が、前記モバイルデバイスにおいて前記第３のメッセージを受信する前記時間と、前記モバイルデバイスにおいて前記第４のメッセージを受信する前記時間との間の前記差であり、
ｔ２２が、前記第４のアクセストランシーバにおける前記第３のメッセージの受信時間であり、
ｔ４２が、前記第３のアクセストランシーバにおける前記第４のメッセージの受信時間である、と、
前記第１の式と前記第２の式とに少なくとも部分的に基づいて前記モバイルデバイスの推定ロケーションを計算すること、ここにおいて、前記モバイルデバイスの前記推定ロケーションを計算することが、前記第１の式と前記第２の式とによって定義されるプロットの交点を決定することを備える。
【請求項４】
コンピューティングデバイスにおける方法であって、前記方法は下記を備える、
第１のアクセストランシーバによって送信された第１のメッセージをモバイルデバイスにおいて受信する時間と、第２のアクセストランシーバによって送信された第２のメッセージを前記モバイルデバイスにおいて、受信する時間との間の差を含む第１の式のパラメータを取得すること、前記第２のメッセージは、前記第２のアクセストランシーバにおける前記第１のメッセージの受信に応答して前記第２のアクセストランシーバによって送信される、ここにおいて、前記第１の式が、
ＴｏａＣ１（Ｍ）−ＴｏａＣ１（ＡＣＫ）−ｔ１１＋ｔ３１であり、ここにおいて、
ＴｏａＣ１（Ｍ）−ＴｏａＣ１（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２１が、前記第１のメッセージの送信時間であり、
ｔ３１が、前記第２のメッセージの送信時間である、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差を含む第２の式のパラメータを取得すること、前記第４のメッセージは、前記第４のアクセストランシーバにおける前記第３のメッセージの受信に応答して前記第４のアクセストランシーバによって送信される、ここにおいて、前記第２の式が、
ＴｏａＣ２（Ｍ）−ＴｏａＣ２（ＡＣＫ）−ｔ１２＋ｔ３２であり、ここにおいて、
ＴｏａＣ２（Ｍ）−ＴｏａＣ２（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２２が、前記第１のメッセージの送信時間であり、
ｔ３２が、前記第２のメッセージの送信時間である、と、
前記第１の式と前記第２の式とに少なくとも部分的に基づいて前記モバイルデバイスの推定ロケーションを計算すること、ここにおいて、前記モバイルデバイスの前記推定ロケーションを計算することが、前記第１の式と前記第２の式とによって定義されるプロットの交点を決定することを備える。
【請求項５】
物品であって、請求項１から４のうちのいずれか１つの方法を実行するように、専用コンピューティング装置によって実行可能である、その上に記憶された機械可読命令を備える非一時的記憶媒体を備える物品。
【請求項６】
装置であって、請求項１から４のうちのいずれか１つの方法を実行するための手段を備える、装置。
【請求項７】
モバイルデバイスにおける、方法であって、前記方法は下記を備える、
第１のアクセストランシーバによって送信された第１のメッセージを前記モバイルデバイスにおいて受信する時間と、第２のアクセストランシーバによって送信された第２のメッセージを前記モバイルデバイスにおいて受信する時間との間の第１の差を測定すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の第２の差を測定すること、前記第４のメッセージは、前記第４のアクセストランシーバにおける前記第３のメッセージの受信に応答して前記第４のアクセストランシーバによって送信される、と、
通信ネットワークを通してネットワークエンティティに前記第１の差と前記第２の差とを送信することと、
前記送信された第１の差と前記送信された第２の差とに少なくとも部分的に基づいて計算された前記モバイルデバイスの推定ロケーションを前記通信ネットワークを通して受信すること、ここにおいて、前記モバイルデバイスの前記推定ロケーションが、
ＴｏａＣ１（Ｍ）−ＴｏａＣ１（ＡＣＫ）−ＲＴＴ１／２＋ｔ４１−ｔ１１である第１の式に基づいてさらに計算される、ここにおいて、
ＴｏａＣ１（Ｍ）−ＴｏａＣ１（ＡＣＫ）が前記第１の差であり、
ＲＴＴ１が、前記第１のメッセージの送信と前記第１のアクセストランシーバにおける前記第２のメッセージの受信とのための第１のラウンドトリップ信号時間の測定値であり、
ｔ１１が、前記第１のメッセージの送信時間であり、
ｔ４１が、前記第１のアクセストランシーバにおける前記第２のメッセージの受信時間である、と、
ここにおいて、前記モバイルデバイスの前記推定ロケーションが、
ＴｏａＣ２（Ｍ）−ＴｏａＣ２（ＡＣＫ）−ＲＴＴ２／２＋ｔ４２−ｔ１２である第２の式に基づいてさらに計算される、ここにおいて、
ＴｏａＣ２（Ｍ）−ＴｏａＣ２（ＡＣＫ）が前記第２の差であり、
ＲＴＴ２が、前記第３のメッセージの送信と前記第３のアクセストランシーバにおける前記第４のメッセージの受信とのための第２のラウンドトリップ信号時間の測定値であり、
ｔ１２が、前記第３のメッセージの送信時間であり、
ｔ４２が、前記第３のアクセストランシーバにおける前記第４のメッセージの受信時間である、ここにおいて、前記モバイルデバイスの前記推定ロケーションが、前記第１の式と前記第２の式とによって定義されるプロットの交点を決定することによってさらに計算される。
【請求項８】
モバイルデバイスにおける、方法であって、前記方法は下記を備える、
第１のアクセストランシーバによって送信された第１のメッセージを前記モバイルデバイスにおいて受信する時間と、第２のアクセストランシーバによって送信された第２のメッセージを前記モバイルデバイスにおいて受信する時間との間の第１の差を測定すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の第２の差を測定すること、前記第４のメッセージは、前記第４のアクセストランシーバにおける前記第３のメッセージの受信に応答して前記第４のアクセストランシーバによって送信される、と、
通信ネットワークを通してネットワークエンティティに前記第１の差と前記第２の差とを送信することと、
前記送信された第１の差と前記送信された第２の差とに少なくとも部分的に基づいて計算された前記モバイルデバイスの推定ロケーションを前記通信ネットワークを通して受信すること、ここにおいて、前記モバイルデバイスの前記推定ロケーションが、
ＴｏａＣ１（Ｍ）−ＴｏａＣ１（ＡＣＫ）−ＲＴＴ１／２−（ｔ１１−ｔ４１）である第１の式に基づいてさらに計算される、ここにおいて、
ＴｏａＣ１（Ｍ）−ＴｏａＣ１（ＡＣＫ）が前記第１の差であり、
ＲＴＴ１が、前記第１のメッセージの送信と前記第１のアクセストランシーバにおける前記第２のメッセージの受信とのための第１のラウンドトリップ信号時間の測定値であり、
ｔ１１−ｔ４１が、前記第１のメッセージの送信時間と前記第１のアクセストランシーバにおける前記第２のメッセージの受信の前記との間の前記差である、と、
ここにおいて、前記モバイルデバイスの前記推定ロケーションが、
ＴｏａＣ２（Ｍ）−ＴｏａＣ２（ＡＣＫ）−ＲＴＴ２／２−（ｔ１２−ｔ４２）である第２の式に基づいてさらに計算される、ここにおいて、
ＴｏａＣ２（Ｍ）−ＴｏａＣ２（ＡＣＫ）が前記第２の差であり、
ＲＴＴ２が、前記第３のメッセージの送信と前記第３のアクセストランシーバにおける前記第４のメッセージの受信とのための第２のラウンドトリップ信号時間の測定値であり、
ｔ１２−ｔ４２が、前記第３のメッセージの送信時間と前記第３のアクセストランシーバにおける前記第４のメッセージの受信の前記との間の前記差である、ここにおいて、前記モバイルデバイスの前記推定ロケーションが、前記第１の式と前記第２の式とによって定義されるプロットの交点を決定することによってさらに計算される。
【請求項９】
モバイルデバイスにおける、方法であって、前記方法は下記を備える、
第１のアクセストランシーバによって送信された第１のメッセージを前記モバイルデバイスにおいて受信する時間と、第２のアクセストランシーバによって送信された第２のメッセージを前記モバイルデバイスにおいて受信する時間との間の第１の差を測定すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の第２の差を測定すること、前記第４のメッセージは、前記第４のアクセストランシーバにおける前記第３のメッセージの受信に応答して前記第４のアクセストランシーバによって送信される、と、
通信ネットワークを通してネットワークエンティティに前記第１の差と前記第２の差とを送信することと、
前記送信された第１の差と前記送信された第２の差とに少なくとも部分的に基づいて計算された前記モバイルデバイスの推定ロケーションを前記通信ネットワークを通して受信すること、ここにおいて、前記モバイルデバイスの前記推定ロケーションが、
ＴｏａＣ１（Ｍ）−ＴｏａＣ１（ＡＣＫ）−ｔ２１＋ｔ４１である第１の式に基づいてさらに計算される、ここにおいて、
ＴｏａＣ１（Ｍ）−ＴｏａＣ１（ＡＣＫ）が前記第１の差であり、
ｔ２１が、前記第２のアクセストランシーバにおける前記第１のメッセージの受信時間であり、
ｔ４１が、前記第１のアクセストランシーバにおける前記第２のメッセージの受信時間である、と、
ここにおいて、前記モバイルデバイスの前記推定ロケーションが、
ＴｏａＣ２（Ｍ）−ＴｏａＣ２（ＡＣＫ）−ｔ２２＋ｔ４２である第２の式に基づいてさらに計算される、ここにおいて、
ＴｏａＣ２（Ｍ）−ＴｏａＣ２（ＡＣＫ）が前記第２の差であり、
ｔ２２が、前記第４のアクセストランシーバにおける前記第３のメッセージの受信時間であり、
ｔ４２が、前記第３のアクセストランシーバにおける前記第４のメッセージの受信時間である、ここにおいて、前記モバイルデバイスの前記推定ロケーションが、前記第１の式と前記第２の式とによって定義されるプロットの交点を決定することによってさらに計算される。
【請求項１０】
モバイルデバイスにおける、方法であって、前記方法は下記を備える、
第１のアクセストランシーバによって送信された第１のメッセージを前記モバイルデバイスにおいて受信する時間と、第２のアクセストランシーバによって送信された第２のメッセージを前記モバイルデバイスにおいて受信する時間との間の第１の差を測定すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の第２の差を測定すること、前記第４のメッセージは、前記第４のアクセストランシーバにおける前記第３のメッセージの受信に応答して前記第４のアクセストランシーバによって送信される、と、
通信ネットワークを通してネットワークエンティティに前記第１の差と前記第２の差とを送信することと、
前記送信された第１の差と前記送信された第２の差とに少なくとも部分的に基づいて計算された前記モバイルデバイスの推定ロケーションを前記通信ネットワークを通して受信すること、ここにおいて、前記モバイルデバイスの前記推定ロケーションが、
ＴｏａＣ１（Ｍ）−ＴｏａＣ１（ＡＣＫ）−ｔ１１＋ｔ３１である第１の式に基づいてさらに計算される、ここにおいて、
ＴｏａＣ１（Ｍ）−ＴｏａＣ１（ＡＣＫ）が前記第１の差であり、
ｔ１１が、前記第１のメッセージの送信時間であり、
ｔ３１が、前記第２のメッセージの送信時間である、と、
ここにおいて、前記モバイルデバイスの前記推定ロケーションが、
ＴｏａＣ２（Ｍ）−ＴｏａＣ２（ＡＣＫ）−ｔ１２＋ｔ３２である第２の式に基づいてさらに計算される、ここにおいて、
ＴｏａＣ２（Ｍ）−ＴｏａＣ２（ＡＣＫ）が前記第２の差であり、
ｔ１２が、前記第３のメッセージの送信時間であり、
ｔ２３が、前記第４のメッセージの送信時間である、ここにおいて、前記モバイルデバイスの前記推定ロケーションが、前記第１の式と前記第２の式とによって定義されるプロットの交点を決定することによってさらに計算される。
【請求項１１】
物品であって、請求項７から１０のうちのいずれか１つの方法を実行するように、モバイルデバイスの専用コンピューティング装置によって実行可能である、その上に記憶された機械可読命令を備える非一時的記憶媒体を備える物品。
【請求項１２】
モバイルデバイスであって、請求項７から１０のうちのいずれか１つの方法を実行するための手段を備える、モバイルデバイス。
【手続補正２】
【補正対象書類名】明細書
【補正対象項目名】００６４
【補正方法】変更
【補正の内容】
【００６４】
[00070]現在例示的な特徴と考えられていることを例示し説明したが、特許請求する主題から逸脱することなく、様々な他の変更を行い得、均等物を代用し得ることが、当業者には理解されよう。さらに、本明細書に記載の中心概念から逸脱することなく、特許請求する主題の教示に特定の状況を適合させるために多くの変更を行い得る。したがって、特許請求する主題は、開示された特定の例に限定されず、そのような特許請求する主題はまた、添付の特許請求の範囲内に入るすべての態様とそれらの均等物とを含み得るものとする。
以下に、本願出願の当初の特許請求の範囲に記載された発明を付記する。
［Ｃ１］
コンピューティングデバイスにおける方法であって、前記方法は下記を備える、
第１のアクセストランシーバによって送信された第１のメッセージをモバイルデバイスにおいて受信する時間と、第２のアクセストランシーバによって送信された第２のメッセージを前記モバイルデバイスにおいて、受信する時間との間の差を含む第１の式のパラメータを取得すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差を含む第２の式のパラメータを取得すること、前記第４のメッセージは、前記第４のアクセストランシーバにおける前記第３のメッセージの受信に応答して前記第４のアクセストランシーバによって送信される、と、
前記第１の式と前記第２の式とに少なくとも部分的に基づいて前記モバイルデバイスの推定ロケーションを計算すること。
［Ｃ２］
前記モバイルデバイスの前記推定ロケーションを計算することが、前記第１の式と前記第２の式とによって定義されるプロットの交点を決定することを備える、Ｃ１に記載の方法。
［Ｃ３］
前記第１の式と前記第２の式とが、双曲線のプロットを定義する、Ｃ１に記載の方法。
［Ｃ４］
前記第１の式の前記パラメータが、
前記第１のメッセージの送信と前記第１のアクセストランシーバにおける前記第２のメッセージの受信とのためのラウンドトリップ信号時間の測定値
をさらに備える、Ｃ１に記載の方法。
［Ｃ５］
前記第１の式の前記パラメータが、
前記第１のメッセージの送信時間と、
前記第１のアクセストランシーバにおける前記第２のメッセージの受信時間と、
をさらに備える、Ｃ４に記載の方法。
［Ｃ６］
前記第１の式が、
ＴｏａＣ（Ｍ）−ＴｏａＣ（ＡＣＫ）−ＲＴＴ／２＋ｔ４＋ｔ１を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴが、前記ラウンドトリップ信号時間の前記測定値であり、
ｔ１が、前記第１のメッセージの送信時間であり、
ｔ４が、前記第１のアクセストランシーバにおける前記第２のメッセージの受信時間である、Ｃ４に記載の方法。
［Ｃ７］
前記第１の式の前記パラメータが、前記第１のメッセージの送信時間と前記第１のアクセストランシーバにおける前記第２のメッセージの受信時間との間の差をさらに備える、ここにおいて、前記第１の式が、
ＴｏａＣ（Ｍ）−ＴｏａＣ（ＡＣＫ）−ＲＴＴ／２−（ｔ１−ｔ４）を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴが、前記ラウンドトリップ信号時間の前記測定値であり、
ｔ１−ｔ４が、前記第１のメッセージの前記送信時間と前記第１のアクセストランシーバにおける前記第２のメッセージの前記受信時間との間の前記差である、Ｃ４に記載の方法。
［Ｃ８］
前記第１の式の前記パラメータが、
前記第２のアクセストランシーバにおける前記第１のメッセージの受信時間と、
前記第１のアクセストランシーバにおける前記第２のメッセージの受信時間と
をさらに備える、Ｃ１に記載の方法。
［Ｃ９］
前記第１の式が、
ＴｏａＣ（Ｍ）−ＴｏａＣ（ＡＣＫ）−ｔ２＋ｔ４を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２が、前記第２のアクセストランシーバにおける前記第１のメッセージの前記受信時間であり、
ｔ４が、前記第１のアクセストランシーバにおける前記第２のメッセージの前記受信時間である、Ｃ８に記載の方法。
［Ｃ１０］
前記第１の式の前記パラメータが、
前記第１のメッセージの送信時間と、
前記第２のメッセージの送信時間と
をさらに備える、Ｃ１に記載の方法。
［Ｃ１１］
前記第１の式が、
ＴｏａＣ（Ｍ）−ＴｏａＣ（ＡＣＫ）−ｔ１＋ｔ３を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２が、前記第１のメッセージの前記送信時間であり、
ｔ３が、前記第２のメッセージの前記送信時間である、Ｃ１０に記載の方法。
［Ｃ１２］
前記第１のメッセージが、ＩＥＥＥ規格８０２．１１に従って送信される精密タイミング要求メッセージを備え、前記第２のメッセージが、前記ＩＥＥＥ規格８０２．１１に従って送信される肯定応答メッセージを備える、Ｃ１に記載の方法。
［Ｃ１３］
コンピューティングデバイスであって、
第１のアクセストランシーバによって送信された第１のメッセージをモバイルデバイスにおいて受信する時間と、第２のアクセストランシーバによって送信された第２のメッセージを前記モバイルデバイスにおいて受信する時間との間の差を含む第１の式のパラメータを取得すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差を含む第２の式のパラメータを取得すること、前記第４のメッセージが、前記第４のアクセストランシーバにおける前記第３のメッセージの受信に応答して前記第４のアクセストランシーバによって送信される、と、
前記第１の式と前記第２の式とに少なくとも部分的に基づいて前記モバイルデバイスの推定ロケーションを計算することと、
を行うための１つまたは複数のプロセッサを備えるコンピューティングデバイス。
［Ｃ１４］
前記第１の式の前記パラメータが、
前記第１のメッセージの送信と前記第１のアクセストランシーバにおける前記第２のメッセージの受信とのためのラウンドトリップ信号時間の測定値
をさらに備える、Ｃ１３に記載のコンピューティングデバイス。
［Ｃ１５］
前記第１の式の前記パラメータが、
前記第１のメッセージの送信時間と、
前記第１のアクセストランシーバにおける前記第２のメッセージの受信時間と、
をさらに備える、Ｃ１４に記載のコンピューティングデバイス。
［Ｃ１６］
前記第１の式が、
ＴｏａＣ（Ｍ）−ＴｏａＣ（ＡＣＫ）−ＲＴＴ／２＋ｔ４＋ｔ１を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴが、前記ラウンドトリップ信号時間の前記測定値であり、
ｔ１が、前記第１のメッセージの送信時間であり、
ｔ４が、前記第１のアクセストランシーバにおける前記第２のメッセージの受信時間である、Ｃ１４に記載のコンピューティングデバイス。
［Ｃ１７］
前記第１の式の前記パラメータが、前記第１のメッセージの送信時間と前記第１のアクセストランシーバにおける前記第２のメッセージの受信時間との間の差をさらに備える、ここにおいて、前記第１の式が、
ＴｏａＣ（Ｍ）−ＴｏａＣ（ＡＣＫ）−ＲＴＴ／２−（ｔ１−ｔ４）を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴが、前記ラウンドトリップ信号時間の前記測定値であり、
ｔ１−ｔ４が、前記第１のメッセージの前記送信時間と前記第１のアクセストランシーバにおける前記第２のメッセージの前記受信時間との間の前記差である、Ｃ１４に記載のコンピューティングデバイス。
［Ｃ１８］
前記第１の式の前記パラメータが、
前記第２のアクセストランシーバにおける前記第１のメッセージの受信時間と、
前記第１のアクセストランシーバにおける前記第２のメッセージの受信時間と、
をさらに備える、Ｃ１３に記載のコンピューティングデバイス。
［Ｃ１９］
前記第１の式が、
ＴｏａＣ（Ｍ）−ＴｏａＣ（ＡＣＫ）−ｔ２＋ｔ４を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２が、前記第２のアクセストランシーバにおける前記第１のメッセージの前記受信時間であり、
ｔ４が、前記第１のアクセストランシーバにおける前記第２のメッセージの前記受信時間である、Ｃ１８に記載のコンピューティングデバイス。
［Ｃ２０］
前記第１の式の前記パラメータが、
前記第１のメッセージの送信時間と、
前記第２のメッセージの送信時間と、
をさらに備える、Ｃ１３に記載のコンピューティングデバイス。
［Ｃ２１］
前記第１の式が、
ＴｏａＣ（Ｍ）−ＴｏａＣ（ＡＣＫ）−ｔ１＋ｔ３を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２が、前記第１のメッセージの前記送信時間であり、
ｔ３が、前記第２のメッセージの前記送信時間である、Ｃ２０に記載のコンピューティングデバイス。
［Ｃ２２］
物品であって、
第１のアクセストランシーバによって送信された第１のメッセージをモバイルデバイスにおいて受信する時間と、第２のアクセストランシーバによって送信された第２のメッセージを前記モバイルデバイスにおいて受信する時間との間の差を含む第１の式のパラメータを取得すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差を含む第２の式のパラメータを取得すること、前記第４のメッセージは、前記第４のアクセストランシーバにおける前記第３のメッセージの受信に応答して前記第４のアクセストランシーバによって送信される、と、
前記第１の式と前記第２の式とに少なくとも部分的に基づいて前記モバイルデバイスの推定ロケーションを計算することと、
を行うように、専用コンピューティング装置によって実行可能である、その上に記憶された機械可読命令を備える非一時的記憶媒体
を備える物品。
［Ｃ２３］
前記第１の式の前記パラメータが、
前記第１のメッセージの送信と前記第１のアクセストランシーバにおける前記第２のメッセージの受信とのためのラウンドトリップ信号時間の測定値
をさらに備える、Ｃ２２に記載の物品。
［Ｃ２４］
前記第１の式の前記パラメータが、
前記第１のメッセージの送信時間と、
前記第１のアクセストランシーバにおける前記第２のメッセージの受信時間と、
をさらに備える、Ｃ２３に記載の物品。
［Ｃ２５］
前記第１の式が、
ＴｏａＣ（Ｍ）−ＴｏａＣ（ＡＣＫ）−ＲＴＴ／２＋ｔ４＋ｔ１を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴが、前記ラウンドトリップ信号時間の前記測定値であり、
ｔ１が、前記第１のメッセージの送信時間であり、
ｔ４が、前記第１のアクセストランシーバにおける前記第２のメッセージの受信時間である、Ｃ２３に記載の物品。
［Ｃ２６］
前記第１の式の前記パラメータが、前記第１のメッセージの送信時間と前記第１のアクセストランシーバにおける前記第２のメッセージの受信時間との間の差をさらに備える、ここにおいて、前記第１の式が、
ＴｏａＣ（Ｍ）−ＴｏａＣ（ＡＣＫ）−ＲＴＴ／２−（ｔ１−ｔ４）を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ＲＴＴが、前記ラウンドトリップ信号時間の前記測定値であり、
ｔ１−ｔ４が、前記第１のメッセージの前記送信時間と前記第１のアクセストランシーバにおける前記第２のメッセージの前記受信時間との間の前記差である、Ｃ２３に記載の物品。
［Ｃ２７］
前記第１の式の前記パラメータが、
前記第２のアクセストランシーバにおける前記第１のメッセージの受信時間と、
前記第１のアクセストランシーバにおける前記第２のメッセージの受信時間と、
をさらに備える、Ｃ２２に記載の物品。
［Ｃ２８］
前記第１の式が、
ＴｏａＣ（Ｍ）−ＴｏａＣ（ＡＣＫ）−ｔ２＋ｔ４を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２が、前記第２のアクセストランシーバにおける前記第１のメッセージの前記受信時間であり、
ｔ４が、前記第１のアクセストランシーバにおける前記第２のメッセージの前記受信時間である、Ｃ２７に記載の物品。
［Ｃ２９］
前記第１の式の前記パラメータが、
前記第１のメッセージの送信時間と、
前記第２のメッセージの送信時間と、
をさらに備える、Ｃ２２に記載の物品。
［Ｃ３０］
前記第１の式が、
ＴｏａＣ（Ｍ）−ＴｏａＣ（ＡＣＫ）−ｔ１＋ｔ３を備える、ここにおいて、
ＴｏａＣ（Ｍ）−ＴｏａＣ（ＡＣＫ）が、前記モバイルデバイスにおいて前記第１のメッセージを受信する前記時間と、前記モバイルデバイスにおいて前記第２のメッセージを受信する前記時間との間の前記差であり、
ｔ２が、前記第１のメッセージの前記送信時間であり、
ｔ３が、前記第２のメッセージの前記送信時間である、Ｃ２９に記載の物品。
［Ｃ３１］
装置であって、前記装置は下記を備える、
第１のアクセストランシーバによって送信された第１のメッセージをモバイルデバイスにおいて受信する時間と、第２のアクセストランシーバによって送信された第２のメッセージを前記モバイルデバイスにおいて受信する時間との間の差を含む第１の式のパラメータを取得するための手段、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の差を含む第２の式のパラメータを取得するための手段、前記第４のメッセージは、前記第４のアクセストランシーバにおける前記第３のメッセージの受信に応答して前記第４のアクセストランシーバによって送信される、と、
前記第１の式と前記第２の式とに少なくとも部分的に基づいて前記モバイルデバイスの推定ロケーションを計算するための手段。
［Ｃ３２］
モバイルデバイスにおける、方法であって、前記方法は下記を備える、
第１のアクセストランシーバによって送信された第１のメッセージを前記モバイルデバイスにおいて受信する時間と、第２のアクセストランシーバによって送信された第２のメッセージを前記モバイルデバイスにおいて受信する時間との間の第１の差を測定すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の第２の差を測定すること、前記第４のメッセージは、前記第４のアクセストランシーバにおける前記第３のメッセージの受信に応答して前記第４のアクセストランシーバによって送信される、と、
通信ネットワークを通してネットワークエンティティに前記第１の差と前記第２の差とを送信することと、
前記送信された第１の差と前記送信された第２の差とに少なくとも部分的に基づいて計算された前記モバイルデバイスの推定ロケーションを前記通信ネットワークを通して受信すること。
［Ｃ３３］
前記モバイルデバイスの前記推定ロケーションが、前記第１のメッセージの送信と前記第１のアクセストランシーバにおける前記第２のメッセージの受信とのためのラウンドトリップ信号時間の測定値に少なくとも部分的に基づいてさらに計算される、Ｃ３２に記載の方法。
［Ｃ３４］
前記モバイルデバイスの前記推定ロケーションが、
前記第１のメッセージの送信時間と、
前記第１のアクセストランシーバにおける前記第２のメッセージの受信時間と、
に少なくとも部分的に基づいてさらに計算される、Ｃ３３に記載の方法。
［Ｃ３５］
前記モバイルデバイスの前記推定ロケーションが、
ＴｏａＣ（Ｍ）−ＴｏａＣ（ＡＣＫ）−ＲＴＴ／２＋ｔ４＋ｔ１に少なくとも部分的に基づいてさらに計算される、ここにおいて、
ＴｏａＣ（Ｍ）−ＴｏａＣ（ＡＣＫ）が前記第１の差であり、
ＲＴＴが、前記ラウンドトリップ信号時間の前記測定値であり、
ｔ１が、前記第１のメッセージの送信時間であり、
ｔ４が、前記第１のアクセストランシーバにおける前記第２のメッセージの受信時間である、Ｃ３３に記載の方法。
［Ｃ３６］
前記モバイルデバイスの前記推定ロケーションが、
ＴｏａＣ（Ｍ）−ＴｏａＣ（ＡＣＫ）−ＲＴＴ／２−（ｔ１−ｔ４）に少なくとも部分的に基づいてさらに計算される、ここにおいて、
ＴｏａＣ（Ｍ）−ＴｏａＣ（ＡＣＫ）が前記第１の差であり、
ＲＴＴが、前記ラウンドトリップ信号時間の前記測定値であり、
ｔ１−ｔ４が、前記第１のメッセージの送信時間と前記第１のアクセストランシーバにおける前記第２のメッセージの受信の前記との間の前記差である、Ｃ３３に記載の方法。
［Ｃ３７］
前記モバイルデバイスの前記推定ロケーションが、
前記第２のアクセストランシーバにおける前記第１のメッセージの受信時間と、
前記第１のアクセストランシーバにおける前記第２のメッセージの受信時間と、
に少なくとも部分的に基づいてさらに計算される、Ｃ３２に記載の方法。
［Ｃ３８］
前記モバイルデバイスの前記推定ロケーションが、
ＴｏａＣ（Ｍ）−ＴｏａＣ（ＡＣＫ）−ｔ２＋ｔ４に少なくとも部分的に基づいてさらに計算される、ここにおいて、
ＴｏａＣ（Ｍ）−ＴｏａＣ（ＡＣＫ）が前記第１の差であり、
ｔ２が、前記第２のアクセストランシーバにおける前記第１のメッセージの前記受信時間であり、
ｔ４が、前記第１のアクセストランシーバにおける前記第２のメッセージの前記受信時間である、Ｃ３７に記載の方法。
［Ｃ３９］
前記推定ロケーションが、
前記第１のメッセージの送信時間と、
前記第２のメッセージの送信時間と、
に少なくとも部分的に基づいてさらに計算される、Ｃ３２に記載の方法。
［Ｃ４０］
前記推定ロケーションが、
ＴｏａＣ（Ｍ）−ＴｏａＣ（ＡＣＫ）−ｔ１＋ｔ３に少なくとも部分的に基づいてさらに計算される、ここにおいて、
ＴｏａＣ（Ｍ）−ＴｏａＣ（ＡＣＫ）が前記第１の差であり、
ｔ２が、前記第１のメッセージの前記送信時間であり、
ｔ３が、前記第２のメッセージの前記送信時間である、Ｃ３９に記載の方法。
［Ｃ４１］
モバイルデバイスであって、前記モバイルデバイスは下記を備える、
通信ネットワークにメッセージを送信し、それからメッセージを受信するためのトランシーバデバイスと、
１つまたは複数のプロセッサであって、
第１のアクセストランシーバによって送信された第１のメッセージを前記トランシーバデバイスにおいて受信する時間と、第２のアクセストランシーバによって送信された第２のメッセージを前記トランシーバデバイスにおいて受信する時間との間の第１の差を測定すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記トランシーバデバイスにおいて受信する時間と、第４のアクセストランシーバによって送信された第４のメッセージを前記トランシーバデバイスにおいて受信する時間との間の第２の差を測定すること、前記第４のメッセージは、前記第４のアクセストランシーバにおける前記第３のメッセージの受信に応答して前記第４のアクセストランシーバによって送信される、と、
前記トランシーバデバイスを通してネットワークエンティティに前記第１の差と前記第２の差との送信を開始することと、
前記送信された第１の差と前記送信された第２の差とに少なくとも部分的に基づいて計算された前記モバイルデバイスの推定ロケーションを前記トランシーバデバイスにおいて受信された１つまたは複数のメッセージ中で取得することと、
を行うための１つまたは複数のプロセッサ。
［Ｃ４２］
前記モバイルデバイスの前記推定ロケーションが、前記第１のメッセージの送信と前記第１のアクセストランシーバにおける前記第２のメッセージの受信とのためのラウンドトリップ信号時間の測定値に少なくとも部分的に基づいてさらに計算される、Ｃ４１に記載のモバイルデバイス。
［Ｃ４３］
前記モバイルデバイスの前記推定ロケーションが、
前記第１のメッセージの送信時間と、
前記第１のアクセストランシーバにおける前記第２のメッセージの受信時間と、
に少なくとも部分的に基づいてさらに計算される、Ｃ４２に記載のモバイルデバイス。
［Ｃ４４］
前記モバイルデバイスの前記推定ロケーションが、
ＴｏａＣ（Ｍ）−ＴｏａＣ（ＡＣＫ）−ＲＴＴ／２＋ｔ４＋ｔ１に少なくとも部分的に基づいてさらに計算される、ここにおいて、
ＴｏａＣ（Ｍ）−ＴｏａＣ（ＡＣＫ）が前記第１の差であり、
ＲＴＴが、前記ラウンドトリップ信号時間の前記測定値であり、
ｔ１が、前記第１のメッセージの送信時間であり、
ｔ４が、前記第１のアクセストランシーバにおける前記第２のメッセージの受信時間である、Ｃ４２に記載のモバイルデバイス。
［Ｃ４５］
前記モバイルデバイスの前記推定ロケーションが、
ＴｏａＣ（Ｍ）−ＴｏａＣ（ＡＣＫ）−ＲＴＴ／２−（ｔ１−ｔ４）に少なくとも部分的に基づいてさらに計算される、ここにおいて、
ＴｏａＣ（Ｍ）−ＴｏａＣ（ＡＣＫ）が前記第１の差であり、
ＲＴＴが、前記ラウンドトリップ信号時間の前記測定値であり、
ｔ１−ｔ４が、前記第１のメッセージの送信時間と前記第１のアクセストランシーバにおける前記第２のメッセージの受信時間との間の前記差である、Ｃ４２に記載のモバイルデバイス。
［Ｃ４６］
前記モバイルデバイスの前記推定ロケーションが、
前記第２のアクセストランシーバにおける前記第１のメッセージの受信時間と、
前記第１のアクセストランシーバにおける前記第２のメッセージの前記受信時間と、
に少なくとも部分的に基づいてさらに計算される、Ｃ４１に記載のモバイルデバイス。
［Ｃ４７］
前記モバイルデバイスの前記推定ロケーションが、
ＴｏａＣ（Ｍ）−ＴｏａＣ（ＡＣＫ）−ｔ２＋ｔ４に少なくとも部分的に基づいてさらに計算される、ここにおいて、
ＴｏａＣ（Ｍ）−ＴｏａＣ（ＡＣＫ）が前記第１の差であり、
ｔ２が、前記第２のアクセストランシーバにおける前記第１のメッセージの前記受信時間であり、
ｔ４が、前記第１のアクセストランシーバにおける前記第２のメッセージの前記受信時間である、Ｃ４６に記載のモバイルデバイス。
［Ｃ４８］
前記推定ロケーションが、
前記第１のメッセージの送信時間と、
前記第２のメッセージの送信時間と、
に少なくとも部分的に基づいてさらに計算される、Ｃ４１に記載のモバイルデバイス。
［Ｃ４９］
前記推定ロケーションが、
ＴｏａＣ（Ｍ）−ＴｏａＣ（ＡＣＫ）−ｔ１＋ｔ３に少なくとも部分的に基づいてさらに計算される、ここにおいて、
ＴｏａＣ（Ｍ）−ＴｏａＣ（ＡＣＫ）が前記第１の差であり、
ｔ２が、前記第１のメッセージの前記送信時間であり、
ｔ３が、前記第２のメッセージの前記送信時間である、Ｃ４８に記載のモバイルデバイス。
［Ｃ５０］
物品であって、
第１のアクセストランシーバによって送信された第１のメッセージをモバイルデバイスにおいて受信する時間と、第２のアクセストランシーバによって送信された第２のメッセージを前記モバイルデバイスにおいて受信する時間との間の第１の差を測定すること、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の第２の差を測定すること、前記第４のメッセージは、前記第４のアクセストランシーバにおける前記第３のメッセージの受信に応答して前記第４のアクセストランシーバによって送信される、と、
通信ネットワークを通してネットワークエンティティに前記第１の差と前記第２の差との送信を開始することと、
前記送信された第１の差と前記送信された第２の差とに少なくとも部分的に基づいて計算された前記モバイルデバイスの推定ロケーションを前記ネットワークエンティティから受信された１つまたは複数のメッセージ中で取得することと
を行うように、前記モバイルデバイスの専用コンピューティング装置によって実行可能である、その上に記憶された機械可読命令を備える非一時的記憶媒体
を備える物品。
［Ｃ５１］
モバイルデバイスであって、前記モバイルデバイスは下記を備える、
第１のアクセストランシーバによって送信された第１のメッセージをモバイルデバイスにおいて受信する時間と、第２のアクセストランシーバによって送信された第２のメッセージを前記モバイルデバイスにおいて受信する時間との間の第１の差を測定するための手段、前記第２のメッセージは、前記第２のアクセストランシーバにおける前記第１のメッセージの受信に応答して前記第２のアクセストランシーバによって送信される、と、
第３のアクセストランシーバによって送信された第３のメッセージを前記モバイルデバイスにおいて受信する時間と、第４のアクセストランシーバによって送信された第４のメッセージを前記モバイルデバイスにおいて受信する時間との間の第２の差を測定するための手段、前記第４のメッセージは、前記第４のアクセストランシーバにおける前記第３のメッセージの受信に応答して前記第４のアクセストランシーバによって送信される、と、
通信ネットワークを通してネットワークエンティティに前記第１の差と前記第２の差とを送信するための手段と、
前記送信された第１の差と前記送信された第２の差とに少なくとも部分的に基づいて計算された前記モバイルデバイスの推定ロケーションを前記通信ネットワークを通して受信するための手段。